(57)【要約】      （修正有）【課題】ヘッド挿入用の開口部の開閉に連動させてディスクをクランプするクランプ手段の構造を簡素化して、クランプ効果を確実にする。【解決手段】ヘッド挿入用の開口部３７を閉塞したときにディスク２をシェル３に押し付けてクランプするディスククランプ手段６を、シェル３の上ハーフ４１の中央部にディスク２に向けて昇降可能に設けられていてディスク２に接離可能なディスク押圧部材と、ディスク押圧部材を付勢してディスク押圧部材を介してディスク２をシェル３に押し付ける付勢部材と、インナーローター５がヘッド挿入用の開口部３７を開放する位置に移動してきたときに付勢部材の付勢力に抗してディスク押圧部材をディスク２から離間させる一対の押圧解除機構と、リンク機構と、で構成した。【選択図】  図１
2004259416.tif 000002
【特許請求の範囲】
【請求項１】
ディスク状記録媒体と、
前記ディスク状記録媒体を回転自在に収納し該ディスク状記録媒体のハブを外部に臨ませる駆動軸挿入用の開口部を底面側に有し、ヘッド挿入用の開口部を側面側に有するシェルと、
前記シェルの上ハーフとディスク状記録媒体との間に回転可能に介在されていて前記ヘッド挿入用の開口部を開閉するインナーローターと、
前記インナーローターで前記ヘッド挿入用の開口部を閉塞したときに前記ディスク状記録媒体を前記シェルに押し付けてクランプするディスククランプ手段と、を備え、
前記ディスククランプ手段は、前記シェルの上ハーフの中央部に前記ディスク状記録媒体に向けて昇降可能に設けられ前記ディスク状記録媒体に接離可能なディスク押圧部材と、該ディスク押圧部材を付勢して該ディスク押圧部材を介して前記ディスク状記録媒体をシェルの下ハーフに押し付ける付勢部材と、前記インナーローターが前記ヘッド挿入用の開口部を開放する位置にきたときに該付勢部材の付勢力に抗して前記ディスク押圧部材を押圧し該ディスク押圧部材を前記ディスク状記録媒体から離間させる押圧解除部材と、該押圧解除部材を前記インナーローターの回転に連動させて前記ディスク押圧部材に接近又は離間する方向に移動させるリンク機構と、を備えていることを特徴とするディスクカートリッジ。
【請求項２】
前記押圧解除部材は、前記シェルの上ハーフとインナーローターの間に前記ディスク押圧部材を挟んで互いに接近方向及び離間する方向に移動可能に配置されていることを特徴とする請求項１に記載のディスクカートリッジ。
【請求項３】
前記リンク機構は、前記インナーローターの上面に設けられた突起と、前記押圧解除部材に設けられていて前記突起が変移可能に係合する長溝と、で構成されていることを特徴とする請求項１に記載のディスクカートリッジ。
【請求項４】
前記長溝は、前記インナーローターの回転に伴う前記突起の変移によって前記一対の押圧解除部材を互いに接近する方向又は離間する方向に移動させる第１の長溝部と、該第１の長溝部の両端部に連続し前記インナーローターの周方向に延びる第２，第３の長溝部と、を備えていることを特徴とする請求項３に記載のディスクカートリッジ。
【請求項５】
第１の長溝部は、複数の直線状溝部を連続させることにより形成されていることを特徴とする請求項４に記載のディスクカートリッジ。
【請求項６】
前記ディスク押圧部材は、略円錐台形に形成されていて外周部に末広がり状の傾斜面を有し、該傾斜面の根元部に鍔部を備えていることを特徴とする請求項２に記載のディスクカートリッジ。
【請求項７】
前記ディスク押圧部材は、先端部に前記ディスク状記録媒体のハブの上部を挿入保持する凹部を有していることを特徴とする請求項４に記載のディスクカートリッジ。
【請求項８】
前記付勢部材は、コイルスプリングを前記シェルの上ハーフとインナーローターとの間に介在させることにより構成されていることを特徴とする請求項２に記載のディスクカートリッジ。
【請求項９】
前記押圧解除部材は、前記シェルの上ハーフの内面に沿ってスライドするベース部と、該ベース部の前記ディスク押圧部材側の端部に設けられていて前記ディスク押圧部材から離間する方向にスライドさせたときに前記ディスク押圧部材の鍔部に係合して該ディスク押圧部材の下ハーフ側への移動を阻止し、前記ディスク押圧部材に接近する方向にスライドさせたときに前記傾斜面を押圧して前記ディスク押圧部材を前記付勢部材の付勢力に抗して上ハーフ側へ移動させるディスク押圧部材操作部と、を備えていることを特徴とする請求項６に記載のディスクカートリッジ。
【請求項１０】
前記ディスク押圧部材操作部は、先端部が前記ディスク押圧部材の傾斜面又は鍔部に接触し、先端部以外は前記ディスク押圧部材の傾斜面又は鍔部に対して非接触状態になっていることを特徴とする請求項９に記載のディスクカートリッジ。
【発明の詳細な説明】
【０００１】
【発明の属する技術分野】
本発明は、ディスク状記録媒体を回転可能に収納したシェルの側面にヘッド挿入用の開口部を設け、該開口部を閉じるとディスククランプ手段によりディスク状記録媒体がシェル内でクランプされ、前記開口部を開くと前記クランプ手段によるディスク状記録媒体のクランプが解除されて、ディスク状記録媒体が回転可能な状態になるディスクカートリッジに関するものである。
【０００２】
【従来の技術】
シェルの側面にヘッド挿入用の開口部が設けられていて、ドライブ（記録再生装置）へ挿入すると前記ヘッド挿入用の開口部のドアが開かれ、ディスククランプ手段によるディスク状記録媒体のクランプが解除され、前記ヘッド挿入用の開口部からドライブのヘッドがシェル内に挿入されると共に、駆動用の開口部からドライブの駆動軸が挿入され、ディスク状記録媒体を回転させて記録再生が行われ、ドライブから取出すと前記ヘッド挿入用の開口部がドアによって閉じられ、前記ディスククランプ手段でディスク状記録媒体がクランプされてシェル内で揺動する（ガタツク）ことのないようにしたディスクカートリッジが知られている。
【０００３】
前記ディスクカートリッジにおいて、ヘッド挿入用の開口部を開閉するドアには、フレキシブルドアが用いられている。またディスククランプ手段には、回転カム、並進カムフォロア、バネ等が用いられている。そして、ドアを閉じると作動ワイヤを介して回転カムが一方向に回転し、並進カムフォロアをバネに抗してディスク側に移動させてディスクを下シェル側に押し付けてクランプするようになっている。また、ドアを開くと作動ワイヤを介して回転カムが他方向に回転し、バネで並進カムフォロアをディスクから離間する方向に移動させてディスクのクランプを解除するようになっている。（例えば特許文献１）
【０００４】
【特許文献１】
特表２０００−５０１２１８号公報（特許請求の範囲、第７頁第１５〜２１行、第１０頁第１５〜２１行、図１〜図５）
【０００５】
【発明が解決しようとする課題】
ところで、特許文献１のディスクカートリッジは、ドアにフレキシブルドアを使用し、ディスククランプ手段に回転カム、並進カムフォロア、バネ等を使用しているために構造が複雑で、シェルへの組付作業性が悪く、コストが高いものになっていた。このために、この種のディスクカートリッジにおいては、ドアにフレキシブルドアを使用しないでヘッド挿入用の開口部を開閉することができ、また、ディスククランプ手段の構造を簡素化し、シェルへの組付作業性を向上させると共に、コストを下げることが最大の課題になっていた。
【０００６】
本発明の目的は、上記課題を解決し、単純な構造でシェルへの組付けが容易で、かつ確実にディスクをシェル内にクランプすることのできるディスクカートリッジを提供することにある。
【０００７】
【課題を解決するための手段】
請求項１の発明は、ディスク状記録媒体と、該ディスク状記録媒体を回転自在に収納し該ディスク状記録媒体のハブを外部に臨ませる駆動軸挿入用の開口部を底面側に有しヘッド挿入用の開口部を側面側に有するシェルと、該シェルの上ハーフとディスク状記録媒体との間に回転可能に介在されていて前記ヘッド挿入用の開口部を開閉するインナーローターと、該インナーローターで前記ヘッド挿入用の開口部を閉塞したときに前記ディスク状記録媒体を前記シェルに押し付けてクランプするディスククランプ手段と、を備えたディスクカートリッジにおいて、
前記ディスククランプ手段を、前記シェルの上ハーフの中央部に前記ディスク状記録媒体に向けて昇降可能に設けられ前記ディスク状記録媒体に接離可能なディスク押圧部材と、該ディスク押圧部材を付勢して該ディスク押圧部材を介して前記ディスク状記録媒体をシェルの下ハーフに押し付ける付勢部材と、前記インナーローターが前記ヘッド挿入用の開口部を開放する位置にきたときに該付勢部材の付勢力に抗して前記ディスク押圧部材を押圧し該ディスク押圧部材を前記ディスク状記録媒体から離間させる押圧解除部材と、該押圧解除部材を前記インナーローターの回転に連動させて前記ディスク押圧部材に接近又は離間する方向に移動させるリンク機構と、で構成することにより、
前記インナーローターが前記ヘッド挿入用の開口部を開放する位置に移動してきたときに前記押圧解除部材で前記付勢部材の付勢力に抗して前記ディスク押圧部材を前記ディスク状記録媒体から離間させて、前記ディスク押圧部材によるディスク状記録媒体のクランプを解除してディスク状記録媒体を回転可能な状態にする。
【０００８】
請求項２の発明は、請求項１のディスクカートリッジにおいて、
前記押圧解除部材を、前記シェルの上ハーフとインナーローターの間に前記ディスク押圧部材を挟んで互いに接近方向及び離間する方向に移動可能に配置することにより、
前記ディスク押圧部材の両側部から該ディスク押圧部材の押圧及び押圧解除を確実に行なうことができるようにした。
【０００９】
請求項３の発明は、請求項１のディスクカートリッジにおいて、
前記リンク機構を、前記インナーローターの上面に設けられた突起と、前記押圧解除部材に設けられていて前記突起が変移可能に係合して前記インナーローターの回転により前記突起をインナーローターの半径方向に移動させる長溝と、で構成することにより、
インナーローターを一方向に回転させると前記長溝内を前記突起が変移しながら前記一対の押圧解除部材を互いに離間する方向に移動させて、前記ディスク押圧部材によりディスク状記録媒体を下ハーフ側に押し付けてクランプし、インナーローターを他方向に回転させると前記一対の押圧解除部材を互いに接近する方向に移動させて、前記ディスク押圧部材を前記付勢部材の付勢力に抗して上ハーフ側に移動させて、前記ディスク押圧部材によるディスク状記録媒体のクランプを解除した。
【００１０】
請求項４の発明は、請求項３のディスクカートリッジにおいて、
前記長溝を、前記インナーローターの回転に伴う前記突起の変移によって前記押圧解除部材を前記ディスク押圧部材に接近する方向又は離間する方向に移動させる第１の長溝部と、該第１の長溝部の両端部に連続し前記インナーローターの周方向に延びる第２，第３の長溝部と、で構成することにより、
前記第１の長溝部で前記押圧解除部材を前記ディスク押圧部材に接近する方向又は離間する方向に移動させ、前記第２，第３の長溝部においては、インナーローターを回転させても前記押圧解除部材が移動しないようにした。
【００１１】
請求項５の発明は、請求項４のディスクカートリッジにおいて、
第１の長溝部を、複数の直線状溝部を連続させて形成することにより、
前記押圧解除部材をクランプ位置からクランプ解除位置まで移動させる際の負荷を略一定にして、インナーローターの回転による押圧解除部材の移動を円滑に行なうことができるようにした。
【００１２】
請求項６の発明は、請求項２のディスクカートリッジにおいて、
前記ディスク押圧部材を、略円錐台形に形成し、その外周部に末広がり状の傾斜面を設けると共に、該傾斜面の根元部に鍔部を設けることにより、
前記傾斜面を前記押圧解除部材で押圧して前記ディスク押圧部材を前記付勢部材の付勢力に抗して押し下げるようにした。また、前記鍔部によって前記ディスク押圧部材の下ハーフ側への移動位置を規制した。
【００１３】
請求項７の発明は、請求項２のディスクカートリッジにおいて、
前記ディスク押圧部材の先端部に前記ディスク状記録媒体のハブの上部を挿入する凹部を設け、該凹部に前記ディスク状記録媒体のハブの下端部を嵌合することにより、
ディスク状記録媒体のクランプ時において前記凹部にディスク状記録媒体のハブの上部を嵌合してディスク状記録媒体を揺るぎなく確実にクランプできるようにした。
請求項８の発明は、請求項２のディスクカートリッジにおいて、
前記付勢部材にコイルスプリングを使用することにより、
前記コイルスプリングをシェルの上ハーフとインナーローターとの間に介在させてディスク押圧部材をディスク状記録媒体側に付勢した。
【００１４】
請求項９の発明は、請求項６のディスクカートリッジにおいて、
前記押圧解除部材を、前記シェルの上ハーフの内面に沿ってスライドするベース部と、該ベース部の前記ディスク押圧部材側の端部に設けられたディスク押圧部材操作部と、で構成し、
前記押圧解除部材を前記ディスク押圧部材に接近する方向にスライドさせたときに前記ディスク押圧部材の傾斜面を前記ディスク押圧部材操作部で押圧して前記ディスク押圧部材を前記付勢部材の付勢力に抗して前記ディスク状記録媒体から離間させる方向に移動させる。前記押圧解除部材を互いに離間する方向にスライドさせると前記ディスク押圧部材操作部が前記ディスク押圧部材の鍔部に係合して、ディスク押圧部材の更なる移動を阻止した。
【００１５】
請求項１０の発明は、請求項９のディスクカートリッジにおいて、
前記ディスク押圧部材操作部を、先端部が前記ディスク押圧部材の傾斜面又は鍔部に接触し、先端部以外は前記ディスク押圧部材の傾斜面又は鍔部に対して非接触状態に保つようにしたので、
前記ディスク押圧部材操作部と前記ディスク押圧部材の傾斜面との接触面を少なくして押圧解除部材を円滑に移動させることができる。
【００１６】
【発明の実施の形態】
以下、本発明を（１）ディスクカートリッジの概略構成、（２）ディスク状記録媒体の構成、（３）シェルの構成、（４）シャッタの構成、（５）インナーローターの構成、（６）クランプ手段の構成、（７）ドライブの概略構成、（８）作用、（９）他の実施例、の順に説明する。
【００１７】
（１）ディスクカートリッジの概略構成
図１はディスクカートリッジの斜視図、図１はディスクカートリッジを裏面側から見た斜視図、図３はディスクカートリッジの分解斜視図である。
【００１８】
ディスクカートリッジ１は、ディスク状記録媒体２と、該ディスク状記録媒体２を回転自在に収納し該ディスク状記録媒体２のハブ２２を外部に臨ませる駆動軸挿入用の開口部３６を底面側に有し、ヘッド挿入用の開口部３７を側面側に有するシェル３と、該シェル３の下ハーフ４２の外面にスライド可能に取り付けられていて前記駆動軸挿入用の開口部３６を開閉するシャッター４と、前記シェル３の上ハーフ４１とディスク状記録媒体２との間に回転可能に介在されていて前記ヘッド挿入用の開口部３７を開閉するインナーローター５と、該インナーローター５を回転させて前記ヘッド挿入用の開口部３７を閉塞したときに前記ディスク状記録媒体２のハブ２２を前記シェル３の下ハーフ４２に押し付けてクランプするディスククランプ手段６と、を備えている。
【００１９】
前記ディスクカートリッジ１は、後に説明するドライブ（記録再生装置）に挿入すると、ドライブに設けたシャッター開閉機構により前記シャッター４が前記駆動軸挿入用の開口部３６を閉塞している位置から開放する位置にスライドする。前記シャッター４のスライドに連動して前記インナーローター５が回転して、該インナーローター５の周壁７４に設けた切欠部７５が前記ヘッド挿入用の開口部３７と重なって、該ヘッド挿入用の開口部３７を開放すると共に、前記インナーローター５の回転に連動して前記ディスククランプ手段６が操作され、該ディスククランプ手段６によるディスク状記録媒体２のクランプが解除されて、ディスク状記録媒体２は回転可能な状態になる。
【００２０】
そして、前記駆動軸挿入用の開口部３６からドライブの駆動軸が導入されて、該駆動軸にディスク状記録媒体２のハブ２２がチャッキングされる。一方、前記ヘッド挿入用の開口部３７からはドライブのヘッドが挿入され、記録再生可能な状態になる。
【００２１】
また、ドライブからディスクカートリッジ２を排出すると、ドライブに設けたシャッター開閉機構やシャッタースプリングにより前記シャッター４が前記駆動軸挿入用の開口部３６を開放している位置から閉塞する位置にスライドする。前記シャッター４のスライドに連動して前記インナーローター５が回転して、該インナーローター５の周壁７４に設けた切欠部７５が前記ヘッド挿入用の開口部３７に対して非重合位置に移動して、前記ヘッド挿入用の開口部３７を閉塞すると共に、前記インナーローター５の回転に連動して前記ディスククランプ手段６が操作されて、該ディスククランプ手段６によりディスク状記録媒体２のハブ２２がシェル３の下ハーフ４２に押し付けられてクランプされた状態になる。
【００２２】
（２）ディスク状記録媒体の構成
図３の分解図に示すように、ディスク状記録媒体２は、ディスク本体部２１と、該ディスク本体部２１の中央部に取付けられたハブ２２と、を備えている。ディスク本体部２１は、ハードディスク基板上に磁性層や保護層を積層することにより形成されている。
【００２３】
ディスク本体部２１の中央部には、センタ孔（図示省略）が設けられていて、該センタ孔に前記ハブ２２が取り付けられている。前記ハブ２２は、磁性体で形成されていて、後に説明するドライブ２０１の駆動軸（ターンテーブル）２０９にマグネットチャッキングされる。前記ハブ２２の一方の面（図３の上側の面）には前記駆動軸挿入用の開口部３６に嵌合する凸部２３が設けられ、他方の面（図３の下側の面）には、後に説明するディスク押圧部材８２の先端部に設けた凹部９３に嵌合する凸部２４が設けられている。
【００２４】
（３）シェルの構成
図１〜図２に示すように、シェル３は、前端面３１が略円弧面で、後端面３２及び左右の端面３３、３４がストレート面の偏平な箱形状に形成されている。
【００２５】
シェル３は、底面３５に駆動軸挿入用の開口部３６を有していて、該駆動軸挿入用の開口部３６は、シェル３の底面３５にスライド可能に取り付けたシャッター４で開閉されるようになっている。
【００２６】
また、シェル３は、前端面３１にヘッド挿入用の開口部３７を有していて、該ヘッド挿入用の開口部３７は、シェル３内に回転自在に収納されているインナーローター５で開閉されるようになっている。
【００２７】
前記シェル３の前端面３１は、ディスク２の外径と略同じ曲率の弧状面３１ａと、該弧状面３１ａの一端に連続する第１の平坦面３１ｂと、弧状面３１ｂの他端に連続する第２の平坦面３１ｃを有している。
【００２８】
前記第１の平坦面３１ｂと第２の平坦面３１ｃは、後に説明するドライブ２０１への挿入方向と直交する方向に形成されていて、前記第１の平坦面３１ｂがドライブ２０１に設けられているカートリッジ位置決め部材２０３との当接部になっている。前記ヘッド挿入用の開口部３７は、前記弧状面３１の第１の平坦面３１ｂ側に設けられている。
【００２９】
シェル３は、ポリカーボネート（ＰＣ）、アクリルブチレンスチロール（ＡＢＳ）等のプラスチック等の熱可塑性樹脂により射出成形された上ハーフ４１と下ハーフ４２とで構成されている。
【００３０】
図３に示すように、上ハーフ４１は、前記前端面３１の弧状面３１ａを構成する弧状面構成壁４１ａと、前記第１の平坦面３１ｂを構成する第１の平坦面構成壁４１ｂと、前記第２の平坦面３１ｃを構成する第２の平坦面構成壁４１ｃと、を備えていて、前記弧状面構成壁４１ａには、前記ヘッド挿入用の開口部３７を構成する切欠部４１ｄが設けられている。また、上ハーフ４１は、前記後端面３２を構成する後端面構成壁４１ｅ及び前記左右の端面３３，３４を構成する左右の端面構成壁４１ｆ，４１ｇを備えていて、これら後端面構成壁４１ｅ及び左右の端面構成壁４１ｆ，４１ｇの内側には、前記円弧状の前端面３１等と共に円形状のインナーローター収納部４３を構成する略円弧状の内壁４４を備え、該内壁４４の内側には、後に説明するインナーローター５に設けた環状の回転ガイド凸部７５が嵌合して、該インナーローター５の回転をガイドする回転ガイド溝４５が設けられている。
【００３１】
前記第２の平坦面構成壁４１ｃの内側や後端面構成壁４１ｅの内側の両側部には、ネジ止め用のボス部４６が設けられている。また、上ハーフ４１の内面には、後に説明するディスククランプ手段６の押圧解除部材７３，７３が移動可能に配置される押圧解除部材組付け用の凹部４７が設けられ、該凹部４７の中心部（インナーローター収納部４３の中心部）には後記するディスククランプ手段６のディスク押圧部材８１を昇降可能に取り付けるための軸部４８が設けられ、該軸部４８の点対称位置には押圧解除部材８３，８３のスライドをガイドする軸部４９，４９が設けられている。
【００３２】
押圧解除部材組付け用の凹部４７は、ドライブの磁気ヘッドの挿入及び移動の障害にならないように、ヘッド挿入用の開口部３７を構成する切欠部４１ｄを避けた位置に設けられている。また、前記切欠部４１ｄを含むインナーローター５の回動範囲には、次に説明するインナーローター５のヘッド挿入用の段差部７５を挿入する段差部挿入用の凹部５０が設けられている。
【００３３】
前記インナーローター収納部４３内には、ディスク２を回転自在に収納したインナーローター５が回転自在に収納される。
【００３４】
下ハーフ４２は、前記上ハーフ４１の弧状面構成壁４１ａと共に前記弧状面３１ａを構成する弧状面構成壁４２ａと、前記上ハーフ４１の第１の平坦面構成壁４１ｂと共に前記第１の平坦面３１ｂを構成する平坦面構成壁４２ｂと、第２の平坦面構成壁４１ｃと共に前記第２の平坦面３１ｃを構成する平坦面構成壁４２ｃと、を備えていて、前記弧状面構成壁４２ｃには、前記上ハーフ４１の切欠部４１ｄと共に前記ヘッド挿入用の開口部３７を構成する切欠部４２ｄが設けられている。また、下ハーフ４２は、前記上ハーフ４１の後端面構成壁４１ｅと共に前記後端面３２を構成する後端面構成壁４２ｅ及び前記上ハーフ４１の左右の端面構成壁４１ｆ，４１ｇと共に前記左右の端面３３，３４を構成する左右の端面構成壁４２ｆ，４２ｇを備えている。
【００３５】
下ハーフ４２は、外面側にシャッター４のスライド範囲を規定するシャッター落とし込み用の凹部５１を備えている。また、図４に示すように、下ハーフ４２は、インナーローター５の周壁７４の内側に位置する内壁５２を備えている。そして、前記シェル３の前端面３１、後端面３２、左右の端面３３，３４等の周壁と、インナーローター５の周壁７４と、前記下ハーフ４２の内壁５２とで、所謂ラビリンス構造の防塵壁を構成してシェル３の外部から塵埃等が侵入するのを防止するようになっている。
【００３６】
前記上ハーフ４１と下ハーフ４２は、互いの弧状面構成壁、後端面構成壁、左右の端面構成壁等を突き合わせてネジ５３等により前記ボス部４６等で結合されてシェル３を構成する。また、前記シェル３の下ハーフ４２側の外面には前記シャッター４の自由端側が捲れ上がるのを防止するシャッターガイド５４が取付けられている。また、シェル３の内部にはシャッターロック部材５５と誤消去防止部材５６が取付けられている。
【００３７】
（４）シャッターの構成
シャッター４は、ステンレススチールやアルミニューム等の肉厚０．１〜０．５ｍｍ程度の薄板を矩形状に打ち抜くことにより形成されている。シャッター４は、長手方向の一端部にスライダー取付部４ａを備えていて、該スライダー取付部４ａに取り付けたスライダー６１を介してシェル３に組付けられる。
【００３８】
前記スライダー６１は、一側面にギヤ６２を有するラック状に作られていて、他側面にピン状の一対の突起６３を備えている。そして、前記一対の突起６３を前記シャッター４のスライダー取付部４ａに設けた一対のピン挿入孔４ｂに挿入して、前記突起６３の先端部をかしめて拡径させることによりシャッター４のスライダー取付部４ａに取り付けられる。
【００３９】
前記スライダー６１は、前記シャッター４を前記下ハーフ４２のシャッター落とし込み用の凹部５１内に重ね合わせた状態で、上ハーフ４１と下ハーフ４２の間に挟まれ、且つ前記ギヤ６２をインナーローター収納部４３内に臨ませた状態で、前記一方の端面３３に沿ってスライド可能に取り付けられていて、駆動軸挿入用の開口部３６を閉塞する位置と開放する位置との間で前記シャッター４を移動させるようになっている。前記シャッター４は、図示省略のシャタースプリングのバネ力によって駆動軸挿入用の開口部３６を閉塞する位置にセットされている。
【００４０】
（５）インナーローターの構成
前記インナーローター５は、ディスク状記録媒体２のハブ２２が臨む孔部７１を中心部に有する円板状の基板７２と、該基板７２の一方の面（図３において下側の面）の周縁部近傍に設けられた環状の回転ガイド凸部７３と、前記基板７２の他方の面（図３において上側の面）の周縁部に立設された円筒状の周壁７４と、を備えていて、該周壁７４内にディスク状記録媒体２を回転自在に収納するようになっている。
【００４１】
前記基板７２の一方の面（図３において下側の面）の前記環状の回転ガイド凸部７３の内側には、次に説明するディスククランプ手段６のリンク機構８４を構成する突起８５が設けられている。
【００４２】
前記インナーローター５は、前記環状の回転ガイド凸部７３を前記上ハーフ４１に設けた回転ガイド溝４５に嵌合することにより前記インナーローター収納部４３に回転自在に収納されていて、周壁７４で前記ヘッド挿入用の開口部３７をシェル３の内側から塞ぐようになっている。
【００４３】
前記インナーローター５の周壁７４の一部には、切欠部７５が設けられていて、該切欠部７５を前記ヘッド挿入用の開口部３７と重ね合せることにより、該ヘッド挿入用の開口部３７を開放するようになっている。
【００４４】
前記インナーローター５の基板７２の前記ヘッド挿入用の開口部３７に連なるヘッド挿入部分及び移動部分には、ヘッド挿入時においてヘッドとの干渉を防止し、ヘッドの挿入及び移動を容易に行なうための段差部７６が設けられていて、該段差部７６の下端は、前記上ハーフ４１の内面に設けた段差部挿入用の凹部５０内に挿入されている。
【００４５】
前記インナーローター５は、周壁７４の外周面に前記スライダー６１のギヤ６２と噛合するギヤ７７を備えていて、シャッター４のスライドに連動して回動するようになっている。
【００４６】
前記インナーローター５は、シャッター４が駆動軸挿入用の開口部３６を閉塞する位置にあるときには、前記周壁７４で前記ヘッド挿入用の開口部３７を閉塞し、この位置からシャッター４が駆動軸挿入用の開口部３６を開放する位置にスライドしてきたときに、前記周壁７４の切欠部７５がヘッド挿入用の開口部３７と重なり合って、該ヘッド挿入用の開口部３７を開放するようになっている。
【００４７】
（６）ディスククランプ手段の構成
ディスククランプ手段６は、前述したように、インナーローター５がヘッド挿入用の開口部３７を閉塞する位置に回転してきたときにディスク状記録媒体２を上ハーフ４１に押し付けてディスク状記録媒体２をクランプし、インナーローター５がヘッド挿入用の開口部３７を開放する位置に回転してきたときにディスク状記録媒体２のクランプを解除するものである。
【００４８】
ディスククランプ手段６は、前記上ハーフ４１の内面の中央部に設けた軸部４８に昇降可能に組み付けられていてディスク状記録媒体２のハブ２２に接離可能なディスク押圧部材８１と、該ディスク押圧部材８１を付勢し該ディスク押圧部材８１を介してディスク状記録媒体２のハブ２２を下ハーフ４２に押し付けてクランプする付勢部材８２と、インナーローター５がヘッド挿入用の開口部３７を開放する位置に移動してきたときに該付勢部材８２の付勢力に抗して前記ディスク押圧部材８１を前記ディスク状記録媒体２から離間させて前記ディスク状記録媒体２のクランプを解除する一対の押圧解除部材８３，８３と、これら一対の押圧解除部材８３，８３を前記インナーローター５の回転に連動させて互いに接近又は離間する方向に移動させるリンク機構８４と、を備えている。
【００４９】
前記一対の押圧解除部材８３，８３は、上ハーフ４１とインナーローター５の間に前記ディスク押圧部材８１を挟んで直径方向に互いに接近方向及び離間する方向に移動可能に配置されていて、互いに接近する方向に移動したときに前記付勢部材８２の付勢力に抗して前記ディスク押圧部材８１を押圧して該ディスク押圧部材８１を前記ディスク状記録媒体２のハブ２２から離間させて前記ディスク押圧部材８１によるディスク状記録媒体２のクランプを解除し、互いに離間する方向に移動したときに前記ディスク押圧部材８１の押圧を徐々に解除して、前記付勢部材８２の付勢力によりディスク押圧部材８１をディスク状記録媒体２側に突出させるようになっている。
【００５０】
前記リンク機構８４は、前記インナーローター５の一方の面（図３の下側の面）に設けられた突起８５と、前記押圧解除部材８３，８３に設けられていて前記突起８５が変移可能に係合する長溝８６と、で構成されている。
【００５１】
図５に拡大して示すように、前記長溝８６は、前記インナーローター５の回転に伴う前記突起８５の変移によって前記一対の押圧解除部材８３，８３を互いに接近する方向又は離間する方向に直進移動させる第１の長溝部８７と、該第１の長溝部８７の両端部に連続し前記インナーローター５の回転に伴う前記突起８５の変移しても前記一対の押圧解除部材８３，８３を移動させることのない第２，第３の長溝部８８，８９と、を備えている。
【００５２】
第１の長溝部８７は、前記インナーローター５の回転角度に略比例して押圧解除部材８３，８３を円滑に移動させために２つの直線状溝８７ａ，８７ｂを連続させることにより構成されている。前記第２，第３の長溝部８８，８９は、インナーローター５の回転方向に中心点Ｃ１，Ｃ２の異なった同一曲率の円弧状に形成されている。
【００５３】
図３に示すように、前記ディスク押圧部材８１は、略円錐台形に形成されていて外周部に末広がり状の傾斜面９１を有し、該傾斜面９１の根元部に鍔部９２を備えている。
【００５４】
前記ディスク押圧部材８１は、先端部に前記ディスク状記録媒体２のハブ２２の下端部を挿入保持する凹部９３を有していて、該凹部９３内に前記ハブ２２に設けた凸部２４が嵌合するようになっている。
【００５５】
前記付勢部材８２には、コイルスプリングが用いられていて前記シェルの上ハーフとインナーローターとの間に介在されている。
【００５６】
前記一対の押圧解除部材８３，８３は、前記上ハーフ４１の内面に沿ってスライドするベース部１０１と、該ベース部１０１の一端部に折曲形成されているディスク押圧部材操作部１０２と、を備えている。前記ベース部１０１には接近、離間方向への移動ガイド溝１０１ａが設けられていて、該ガイド溝１０１ａ内に前記上ハーフ４１の内面に設けた軸部４９が挿入される。
【００５７】
シャター４及びインナーローター５が前記駆動軸挿入用の開口部３６及びヘッド挿入用の開口部３７が閉塞する位置にあるときは、図６〜図８に示すように、インナーローター５に設けた突起８５は、前記一対の押圧解除部材８３，８３に設けた長溝８６の第２の溝部８８側に位置して、これら一対の押圧解除部材８３，８３を最も離間させた状態になっている。従って、前記ディスク押圧部材８１は、付勢部材８２の付勢力で前記鍔部９２が前記一対の押圧解除部材８３，８３に係合（当接）するまで前記ディスク状記録媒体２側に突出移動してディスク状記録媒体２のハブ２２を下ハーフ４２側に押し付けてディスク状記録媒体２をクランプしている。
【００５８】
また、シャター４及びインナーローター５が前記駆動軸挿入用の開口部３６及びヘッド挿入用の開口部３７が開放する位置にあるときは、図９〜図１１に示すように、インナーローター５に設けた突起８５は、前記一対の押圧解除部材８３，８３に設けた長溝８６の第３の溝部８９側に位置して、これら一対の押圧解除部材８３，８３を最も接近させた状態にしている。従って、前記ディスク押圧部材８１は、前記一対の押圧解除部材８３，８３のディスク押圧部材操作部１０２で前記傾斜面９１を押圧され、前記付勢部材８２の付勢力に抗して前記ディス押圧部材８１を前記ディスク状記録媒体２のハブ２２から離間させて該ディスク状記録媒体２のクランプを解除する。
【００５９】
図１２に示すように、前記ディスク押圧部材操作部１０２は、先端部１０２ａが前記ディスク押圧部材８１の傾斜面９１又は鍔部９２に接触し、先端部１０２ａ以外は部分１０２ｂは、前記ディスク押圧部材８１の傾斜面９１又は鍔部９２に対して非接触状態になっている。
【００６０】
（７）ドライブの概略構成
図１３に示すように、記録再生装置２０１は、ディスクカートリッジ１を挿入するカートリッジ挿入部２０２を備えている。カートリッジ挿入部２０２は、一側部に前記ディスクカートリッジ１の第１の平坦面３１ｂに当接するカートリッジ位置決め部材２０３を備えている。
【００６１】
カートリッジ位置決め部材２０３は、ディスクカートリッジ１が所定の位置まで侵入してきたとき、前記第１の平坦面３１ｂに面接触してディスクカートリッジ１の更なる侵入を阻止して、ディスクカートリッジ１の位置決めを行なうようになっている。
【００６２】
カートリッジ挿入部２０２は、他側部に前記スライダー６１又はシャッター４の一端部に当接して前記スライダー６１及びシャッター４を前記駆動軸挿入用の開口部３６を開放する方向にスライドさせるシャッター開閉部材２０４を備えている。
【００６３】
また、カートリッジ挿入部２０２は、奥端側に磁気ヘッド装置２０５を備えている。磁気ヘッド装置２０５は、軸２０６を中心にして回動する回動アーム２０７の先端部に磁気ヘッド２０８を設けることにより構成されていて、前記磁気ヘッド２０８を前記ヘッド挿入用の開口部３６からディスクカートリッジ１内に挿入すると共に、ディスク状記録媒体２を駆動軸（ターンテーブル）２０９にチャッキングしてディスク状記録媒体２の記録再生を行なうようになっている。
【００６４】
（８）作用の説明
次に、前記ディスクカートリッジ１及びドライブ２０１の作用について説明する。
【００６５】
図１３に示すように、ディスクカートリッジ１を正規の姿勢でドライブ２０１のカートリッジ挿入部２０２に挿入すると、シャッター開閉部材２０４によりシャッターロック部材５５によるシャッター４のロックが解除されてシャッター４とスライダー６１が同時にスライドする。そして、シャッター４が駆動軸挿入用の開口部３６を開放すると共に、スライダー６１のスライドによりインナーローター５が回転して周壁７４に設けた切欠部７５がヘッド挿入用の開口部３７と重なり合って、該ヘッド挿入用の開口部３７を開放すると共に、前記インナーローター５の回転により、図６〜図９に示すように、前記インナーローター５に設けた突起８５が前記押圧解除部材８３に設けた長溝８６内を第２の長溝部８８側から第１の長溝部８７を経て第３の長溝部８９側に変移して、前記一対の押圧解除部材８３，８３が互いに接近する方向にスライドし、これら一対の押圧解除部材８３，８３に設けたディスク押圧部材操作部１０２の先端部１０２ａが前記ディスク押圧部材８１の傾斜面９１を押圧し、前記ディスク押圧部材８１を前記付勢部材８２の付勢力に抗して上ハーフ４１側に移動させて、前記ディス押圧部材８１による前記ディスク状記録媒体２のハブ２２のクランプを解除し、前記ディスク状記録媒体２を回転自在の状態にする。
【００６６】
駆動軸挿入用の開口部３６及びヘッド挿入用の開口部３７が開放され、ディスク状記録媒体２のクランプが解除される位置までディスクカートリッジ１が挿入されると、図１４に示すように、ディスクカートリッジ１の第１の平坦面３１ｂがカートリッジ位置決め部材２０３に面接触してディスクカートリッジ１の更なる侵入を阻止して、ディスクカートリッジ１の位置決めを行なう。
【００６７】
前記ディスクカートリッジ１が所定の位置まで挿入され、かつ前記駆動軸挿入用の開口部３６及びヘッド挿入用の開口部３７が開放され、ディスク状記録媒体２のクランプが解除されたことが検出されると、ドライブ２０１の駆動軸２０９が前記駆動軸挿入用の開口部３６からディスクカートリッジ１内に導入され、駆動軸２０９にディスク状記録媒体２のハブ２２がマグネットチャキングされると共に、ヘッド挿入用の開口部３７から前記磁気ヘッド２０８がディスクカートリッジ１内に導入されてディスク２への記録再生が可能な状態になる。
【００６８】
記録再生終了後に、ディスクカートリッジ１がドライブ２０１から排出されてくると、シャッター４が閉方向にスライドして、駆動軸挿入用の開口部３６を閉塞すると共に、インナーローター５が回転して周壁７４に設けた切欠部７５がヘッド挿入用の開口部３７と非重合状態になって、ヘッド挿入用の開口部３７がインナーローター５の周壁７４で閉塞される。
【００６９】
前記インナーローター５の回転により、該インナーローター５に設けた突起８５が前記押圧解除部材８３に設けた長溝８６内を第３の長溝部８９側から第１の長溝部８７を経て第２の長溝部８８側に変移して、前記一対の押圧解除部材８３，８３を互いに離間する方向にスライドさせ、これら一対の押圧解除部材８３，８３によるディス押圧部材８１の押圧を徐々に緩和していく。
【００７０】
前記一対の押圧解除部材８３，８３による押圧を緩和されたディス押圧部材８１は、付勢部材８２の付勢力により下ハーフ４２側に移動して、前記ディスク状記録媒体２のハブ２２を下ハーフ４２側に押し付けてディスク状記録媒体２をシェル３内でクランプして、ディスクカートリッジ１を持ち運ぶ時などにシェル３内でディスクカートリッジ１がガタツくのを確実に阻止する。
【００７１】
（９）他の実施例
図面に示した実施例では、駆動軸挿入用の開口部３をシャッター４で開閉する構造のディスクカートリッジを示したが、シャッター４を省略してディスク状記録媒体２をディスククランプ手段６でクランプした時に、前記ディスク状記録媒体２のハブ２２で確実に閉塞する構成にしても良い。また、図面に示した実施例では、一対の（２個の）  押圧解除部材８３を使用する例を示したが押圧解除部材８３は１個でも３個以上でもよい。また、図面に示す実施例では、前記第１の長溝８７を２つの直線状溝部８７ａ，８７ｂを連続させることにより形成した場合を示したが、３つ以上の直線状溝部を連続させて形成しても、或いは曲線状に形成しても良い。
【００７２】
【発明の効果】
本発明のディスクカートリッジには次に述べるような効果がある。
（１）請求項１のディスクカートリッジは、付勢部材の付勢力によりディス押圧部材でディスク状記録媒体をシェルの下ハーフ側に押し付けることにより簡単、確実にディスク状記録媒体をシェル内にクランプすることができる。また、押圧解除部材により付勢部材及びディス押圧部材によるクランプを解除してディスク状記録媒体を回転自在な状態にすることができる。
（２）請求項２のディスクカートリッジは、インナーローターがヘッド挿入用の開口部を開放する方向に回転すると、リンク機構により一対の押圧解除部材が互いに接近する方向に移動し、ディスク押圧部材を付勢部材の付勢力に抗して上ハーフ側に移動させてディスク押圧部材によるディスク状記録媒体のクランプを解除し、インナーローターがヘッド挿入用の開口部を閉塞する方向に回転するとリンク機構により前記一対の押圧解除部材が互いに離間する方向に移動して前記ディスク押圧部材の押圧を徐々に解除していきディスク押圧部材がディスク状記録媒体側に移動して該ディスク状記録媒体を下ハーフ側に押し付けてクランプする。
（３）請求項３のディスクカートリッジは、リンク機構を、インナーローターの下面に設けられた突起と、押圧解除部材に設けられていて前記突起が係合して前記インナーローターの回転により前記突起をインナーローターの半径方向に移動させる長溝と、で構成したので、インナーローターを一方向に回転させると前記長溝内を前記突起が変移しながら前記一対の押圧解除部材を互いに離間する方向に移動させ、インナーローターを他方向に回転させると前記一対の押圧解除部材を互いに接近する方向に移動させる。
（４）請求項４のディスクカートリッジは、インナーローターの回転に伴う前記突起の変移によって一対の押圧解除部材を互いに接近する方向又は離間する方向に移動させる第１の長溝部の両端部にインナーローターの周方向に延びる第２，第３の長溝部を設けたので、これら第２，第３の長溝部内に突起が変移してきた後にインナーローターが回転しても前記一対の押圧解除部材はそれ以上移動しないので、一対の押圧解除部材を所望の位置に確実に停止させることができる。
（５）請求項５のディスクカートリッジは、前記第１の長溝部を、複数の直線状溝部を連続させて形成したので、インナーローターの回転角度に略比例させて押圧解除部材を円滑に移動させることができる。
（６）請求項６のディスクカートリッジは、ディスク押圧部材を、略円錐台形に形成し外周部に末広がり状の傾斜面を設けたので、前記傾斜面を押圧解除部材で押圧してディスク押圧部材を付勢部材の付勢力に抗して押し下げることができる。
（７）請求項７のディスクカートリッジは、ディスク押圧部材の先端部に前記ディスク状記録媒体のハブの下端部を挿入する凹部を設け、該凹部に前記ディスク状記録媒体のハブの下端部を嵌合することにより、ディスク状記録媒体を揺るぎなく確実にクランプすることができる。
（８）請求項８のディスクカートリッジは、前記付勢部材にコイルスプリングを使用したので、前記コイルスプリングをシェルとインナーローターとの間に介在させてディスク押圧部材をディスク状記録媒体側に付勢することができる。
（９）請求項９のディスクカートリッジは、前記押圧解除部材を前記ディスク押圧部材に接近する方向にスライドさせたときに前記ディスク押圧部材の傾斜面を前記ディスク押圧部材操作部で押圧して前記ディスク押圧部材を前記付勢部材の付勢力に抗して前記ディスク状記録媒体から離間させる方向に移動させる。また、前記一対の押圧解除部材を、前記ディスク押圧部材から離間する方向にスライドさせると前記ディスク押圧部材操作部による前記ディスク押圧部材の傾斜面を押圧が緩和されて前記ディスク押圧部材は、前記付勢部材の付勢力でシェルの下ハーフ側に移動してディスク状記録媒体をシェルの下ハーフ側にクランプする。
（１０）請求項１０のディスクカートリッジは、前記ディスク押圧部材操作部を、先端部が前記ディスク押圧部材の傾斜面又は鍔部に接触し、先端部以外は前記ディスク押圧部材の傾斜面又は鍔部に対して非接触状態にしたので、前記ディスク押圧部材操作部と前記ディスク押圧部材の傾斜面との接触面を少なくして押圧解除部材を円滑に移動させることができる。
【図面の簡単な説明】
【図１】ディスクカートリッジの斜視図。
【図２】ディスクカートリッジを底面側から見た斜視図。
【図３】ディスクカートリッジの分解斜視図。
【図４】要部の断面図。
【図５】押圧解除部材の平面図。
【図６】駆動軸挿入用の開口部及びヘッド挿入用の開口部が閉塞されている状態の要部の平面図。
【図７】駆動軸挿入用の開口部及びヘッド挿入用の開口部が閉塞されている状態の側面図。
【図８】図６のＡ−Ａ断面図。
【図９】駆動軸挿入用の開口部及びヘッド挿入用の開口部が開放されている状態の要部の平面図。
【図１０】駆動軸挿入用の開口部及びヘッド挿入用の開口部が開放されている状態の側面図。
【図１１】図９のＡ−Ａ断面図。
【図１２】図１０の要部の拡大断面図。
【図１３】ディスクカートリッジと記録再生装置の略示的平面図。
【図１４】ディスクカートリッジを挿入した状態の平面図。
【符号の説明】
１…ディスクカートリッジ、２…ディスク状記録媒体、３…シェル、４…シャッター、５…インナーローター、６…ディスククランプ手段、２２…ハブ、３６…駆動軸挿入用の開口部、３７…ヘッド挿入用の開口部、４１…上ハーフ、４２…下ハーフ、７４…インナーローターの周壁、７５…切欠部、８１…ディスクク押圧部材、８２…付勢部材、８３…押圧解除部材、８４…リンク機構、８５…突起、８６…長溝、８７…第１の長溝部、８７ａ，８７ｂ…直線状溝部、８８…第２の長溝部、８９…第３の長溝部、９１…傾斜面、９２…鍔部、１０１…ベース部、１０２…ディスクク押圧部材操作部、１０２ａ…先端部。
【図１】
2004259416.tif 000003
【図２】
2004259416.tif 000004
【図３】
2004259416.tif 000005
【図４】
2004259416.tif 000006
【図５】
2004259416.tif 000007
【図６】
2004259416.tif 000008
【図７】
2004259416.tif 000009
【図８】
2004259416.tif 000010
【図９】
2004259416.tif 000011
【図１０】
2004259416.tif 000012
【図１１】
2004259416.tif 000013
【図１２】
2004259416.tif 000014
【図１３】
2004259416.tif 000015
【図１４】
2004259416.tif 000016